(57)【特許請求の範囲】
【請求項１】
固体燃料を燃料製品に変換するシステムであり、
炭化水素を含む熱分解ガスを製造するための熱分解ユニットであって、酸素又は空気流の導入なしに操作可能である熱分解ユニットであって、前記熱分解ユニットは蒸留装置を含み、前記蒸留装置は、蒸留装置内を固体燃料が移動するように構成された螺旋搬送装置１以上を含み、前記蒸留装置は密閉され、かつ操作中に蒸留装置内に空気が入り込むのを防ぐように構成されたエアータイトの入り口バルブと出口バルブとを備える、熱分解ユニット、
前記熱分解ガスを水素と一酸化炭素との混合物を含む合成ガスに変換する合成ガス製造ユニット、及び
前記合成ガスを燃料製品に変換するための気-液変換ユニット
を含むシステム。
【請求項２】
前記熱分解ユニットが、連続熱分解ユニットである、請求項１に記載のシステム。
【請求項３】
前記合成ガス製造ユニットが、スチームリフォーマーを含む、請求項１に記載のシステム。
【請求項４】
前記気-液変換ユニットが、フィッシャー・トロプシュシステムを含む、請求項１に記載のシステム。
【請求項５】
前記熱分解ガスから汚染物を除去するために、さらに熱分解ガス清浄化ユニットを含む、請求項１に記載のシステム。
【請求項６】
前記熱分解ガス清浄化ユニットが、二酸化炭素除去ユニットを含む、請求項５に記載のシステム。
【請求項７】
前記熱分解ガス清浄化ユニットが、硫化水素除去ユニットを含む、請求項５に記載のシステム。
【請求項８】
前記合成ガスからの汚染物を除くための合成ガス清浄化ユニットをさらに含む、請求項１に記載のシステム。
【請求項９】
前記合成ガス清浄化ユニットが、硫化水素除去ユニットを含む、請求項８に記載のシステム。
【請求項１０】
フィード前処理ユニットをさらに含む、請求項１に記載のシステム。
【請求項１１】
前記連続熱分解ユニットが、低ＮＯｘ排出バーナーを含む、請求項２に記載のシステム。
【請求項１２】
前記固体燃料が、都市固体廃棄物、都市スラッジ、バイオソリッド、ゴム、プラスチック、石炭、有機廃棄物又はそれらの組み合わせである、請求項１に記載のシステム。
【請求項１３】
前記燃料製品が、液体、気体又はこれらの組み合わせである、請求項１に記載のシステム。
【請求項１４】
前記液体燃料が、ディーゼル、ガソリン、ジェット燃料、アルコール、メタン又はそれらの混合物を有する、請求項１３に記載のシステム。
【請求項１５】
固体燃料を燃料製品に変換する方法であって、以下のステップ：
固体燃料を低二酸化炭素熱分解ガスに熱分解するステップであって、前記熱分解は酸素もしくは空気流の導入なしに行われ、及び前記熱分解は蒸留装置内で行われ、前記蒸留装置は、蒸留装置内を固体燃料が熱分解されながら移動するように構成された螺旋搬送装置１以上を含み、前記蒸留装置は密閉され、かつ操作中に蒸留装置内に空気が入り込むのを防ぐように構成されたエアータイトの入り口バルブと出口バルブとを備える、ステップ、
前記低二酸化炭素熱分解ガスを合成ガスにリフォーミングするステップ、及び
前記合成ガスを前記燃料製品に変換するステップ、
を有する方法。
【請求項１６】
前記固体燃料が、都市固体廃棄物、都市スラッジ、バイオソリッド、ゴム、プラスチック、石炭、有機廃棄物又はそれらの組み合わせである、請求項１５に記載の方法。
【請求項１７】
前記低二酸化炭素熱分解ガスから汚染物を除去することをさらに含む、請求項１５に記載の方法。
【請求項１８】
前記合成ガスからの汚染物を除去することをさらに含む、請求項１５に記載の方法。
【請求項１９】
前記燃料製品が、液体又は気体である、請求項１５に記載の方法。
【請求項２０】
前記燃料製品が、ディーゼル、ガソリン、ジェット燃料、アルコール、メタン又はそれらの混合物である、請求項１９に記載の方法。
【請求項２１】
固体燃料を熱分解するステップが、連続的間接火炎熱分解を含む、請求項１５に記載の方法。
【請求項２２】
前記低二酸化炭素熱分解ガスをリフォーミングするステップが、スチームリフォーマーを含む、請求項１５に記載の方法。
【請求項２３】
前記合成ガスを変換するステップが、フィッシャー・トロプシュ反応装置を含む、請求項１５に記載の方法。
【請求項２４】
前記汚染物が、Ｈ２Ｓ、ＣＯＳ、ＣＯ２、ＳＯ２又はそれらの混合物を含む、請求項１７に記載の方法。
【請求項２５】
汚染物を除去することが、前記熱分解ガスを洗浄することを含む、請求項１７に記載の方法。
【請求項２６】
汚染物を除去することが、Ｈ２Ｓ、ＣＯＳ、ＣＯ２、ＳＯ２又はそれらの混合物を含む汚染物を洗浄し、回収することを含む、請求項１７に記載の方法。
【請求項２７】
さらに前記固体燃料を前処理することを含む、請求項１５に記載の方法。
【発明の詳細な説明】
【技術分野】
【０００１】
本発明は、固体を燃料に変換するシステム及び方法に関し、特に、都市固体廃棄物、バイオソリッド、廃ゴム及びプラスチック、スラッジ、木材、ウッドチップ及び石炭を合成ガスに変換し、そしてその合成ガスを液体又は気体燃料に変換するステップ及び方法に関する。
【背景技術】
【０００２】
廃棄物から液体燃料への種々のプロセスは現在市場で利用可能であり、これはフィッシャー・トロプシュプロセス（「F-Tプロセス」）の実施態様を利用するものである。F-Tプロセスは、触媒化学反応であり、合成ガス（一酸化炭素と水素の混合物）が、種々の形の液体炭化水素へ変換される。合成ガスは、種々の原料から生成されるが、限定されるものではないが、天然ガス、石炭、廃棄又はいかなる形でも炭化水素が含まれる。F-Tプロセスの反応は次を含んでいてもよい。
CHn  +  H2O―＞(n/2  +1)  H2  +  CO  (合成ガス生成)
2n  H2  +  CO―＞-(CH2-)n-  +  H2O  (F-T  反応)
多くの知られた廃棄物から液体燃料へのプロセスは、高圧での直接火炎ガス化を含み、一方で蒸気の存在下で合成ガスを生成するものである。この化学反応は、酸素の添加を含み、次の化学式で表される。
2C  +H2O  +O2―＞CO2  +H2  +CO
上で示すように、炭素の約50%は燃焼されCO2になる。それにより大量のCO2排出を生じる。廃棄物及び固体燃料の直接燃焼の結果として、そのガスは又、窒素酸化物や硫黄酸化物の有害物質の排出を含む。これらの知られた方法の不利益な点のひとつは、結果得られるガスが窒素及びCO2で希釈され、これを直接燃焼させることが困難であるということである。又、結果得られるガスを液体燃料の製造のために清浄化することは非常に費用のかかることである。さらには、固体ガス化は灰を生み出し、捕集、分離及び処理しなければならない。
【０００３】
それゆえ、廃棄物/固体燃料から液体燃料へのシステムであって、伝統的なフィッシャー・トロプシュ方法とは異なり、酸素又は空気の不存在下で熱分解を行うことによるシステムの強い要求がある。その結果として本代表的プロセスは、廃棄物/固体燃料をH2及びCOの合成ガスに変換する熱分解プロセスと、合成ガスを触媒プロセスに供して液体燃料又は他のガスを生成するリフォーミングプロセスとの両方において、低レベルでCO2が生成する。ここで記載されたプロセスは、合成ガス流中に少量の灰と炭素粒子を生じるだけであり、非常にクリーンであり、高カロリー価を有する。代表的な熱分解プロセスは、酸素又は空気の不存在下で起こり、結果として、窒素酸化物や硫黄酸化物の排出が減少する。ガス化される物質の硫黄含有量に依存してある量のH2Sは形成され得るが、それは後に、例示するシステムにおいて最終的なリフォーミングプロセスに先立ってガスから除去される。
【発明の概要】
【発明が解決しようとする課題】
【０００４】
本発明は、固体を燃料に変換するシステム及び方法を提供する。
【課題を解決しようとする手段】
【０００５】
本発明の実施態様は、固体燃料から液体又は気体燃料への変換のシステムを教示し、そのシステムは、炭化水素熱分解ガスを生成する熱分解ユニットと、前記熱分解ガスを合成ガス（水素及び一酸化炭素の混合物）へ変換するための合成ガス製造ユニットと、前記合成ガスを燃料に変換する気-液変換ユニットとを含む。前記熱分解ユニットは、連続的熱分解ユニットを有してよい。ひとつの実施態様においては、前記合成ガス製造ユニットはスチームリフォーマーであり、前記気-液変換ユニットはフィッシャー・トロプシュシステムである。このシステムは又、熱分解ガス清浄化ユニットを含み、熱分解ガスから汚染物を除去するために、二酸化炭素除去ユニット及び/又は硫化水素除去ユニットを含む。他の実施態様においては、このシステムは、合成ガスから汚染物を除去するために、硫化水素除去ユニットを含む合成ガス清浄化ユニットを含む。このシステムは又、フィードの前処理ユニットを含んでいてよい。連続的熱分解ユニットは、低NOｘ排出バーナーであり得る。固体燃料は、都市固体廃棄物、都市スラッジ、バイオソリッド、ゴム、プラスチック、石炭、有機廃棄物、無機廃棄物又はそれらの組み合わせ物であり、液体燃料は、ディーゼル、ガソリン、ジェット燃料、アルコール、メタン又はそれらの混合物があり得る。
【０００６】
他の実施態様は、固体燃料を液体又は気体燃料に変換する方法である。この方法は、次の工程を含む。熱分解により固体燃料を低一酸化炭素熱分解ガスにし、この低一酸化炭素熱分解ガスを合成ガスにリフォームし、その合成ガスを液体燃料に変換する。固体燃料は、都市固体廃棄物、都市スラッジ、バイオソリッド、ゴム、プラスチック、石炭、有機廃棄物、無機廃棄物又はそれらの組み合わせ物である。この方法は、低一酸化炭素熱分解ガス及び/又は合成ガスから汚染物の除去を含むことができる。液体燃料は、ディーゼル、ガソリン、ジェット燃料、アルコール、メタン又はそれらの混合物であり得る。ひとつの実施態様においては、固体燃料の熱分解は、連続的間接的火炎熱分解によることができる。スチームリフォーマーが、低一酸化炭素熱分解ガスをリフォームすることができる。フィッシャー・トロプシュ反応装置が前記合成ガスを変換する。ひとつの実施態様においては、汚染物としては、Ｈ２Ｓ，ＣＯＳ，ＣＯ２，ＳＯ２又はそれらの混合物があり得る。これら汚染物は、熱分解ガスを洗浄（スクラブ）して回収して除去され得る。ひとつの実施態様においては、この方法は又、固体燃料の前処理を含んでいてよい。
【図面の簡単な説明】
【０００７】
本出願の実施態様が、添付する図面で例示する方法で説明される。図面中の参照番号は類似の要素を示す。
【図１】図１は、本発明の代表的実施態様による、都市固体廃棄物、バイオソリッド、廃ゴム及びプラスチック、スラッジ及び石炭を、液体燃料に変換するシステム及びプロセスのフローダイヤグラムを例示する。
【図２】図２は、ガス化スキッドの詳細なフローダイヤグラムのひとつの実施態様を示す。
【図３】図３は、液化スキッドの詳細なフローダイヤグラムのひとつの実施態様を示す。
【発明を実施するための形態】
【０００８】
本出願は、種々の固体であって、限定するものではないが都市固体廃棄物、バイオソリッド、廃ゴム及びプラスチック、スラッジ及び石炭を、ディーゼル燃料、ガソリン、ジェット燃料、メタノール、エタノール、他のアルコール又は単にメタンへと変換するための代表的実施態様を記載する。スラッジとは、この技術分野においてよく知られており、バイオソリッドを含む、産業、水処理又は廃水処理から出てくる半固体残渣物質である。都市固体廃棄物(MSW)、スラッジ及び石炭は、本出願においてはまとめて、「固体燃料」として参照される。この技術分野における熟練者に理解されるように、本出願の代表的実施態様はこれらの固体に限定されるものではなく、他の種々の個体、例えばMSW、林業や農業廃棄物のような有機廃棄物、プラスチック、ゴム及び石炭のような無機廃棄物などが、本出願にかかるシステム及び方法を用いて、液体燃料に変換されることができる。
【０００９】
代表的システム及び方法は、図１、２、３を参照して説明される。図１に示されるように、本システムは、熱分解ユニット１０、熱分解ガス清浄化ユニット２０、合成ガス製造ユニット３０、合成ガス清浄化ユニット４０、及び気体から液体を製造する、気-液変換ユニット５０を含む。ひとつの実施態様においては、フィード処理ユニット６０が又含まれる。本発明において使用されるプロセスの基本的配置は、図１で示されるフロースキームを参照して容易に理解される。図１及びこの説明では、多くのポンプ、コンプレッサー、レシーバ、コンデンサー、リボイラーなどの装置及び他のよく知られたプロセス装置物については、本発明の説明を簡単にするために図示されていない。ひとつの実施態様においては、システムは、ガス化スキッドと、液化スキッドを含む。図２、３は、好ましい実施態様であって、ガス化スキッドと液化スキッドに好ましい次のような装置が配置される。すなわち、熱分解ユニット１０、熱分解ガス清浄化ユニット２０、合成ガス製造ユニット３０、合成ガス清浄化ユニット４０及びガスを液体化するユニット５０である。ひとつの実施態様においては、このガス化スキッドは、熱分解ユニット１０及び熱分解ガス清浄化ユニット１２、及び液化スキッドは、合成ガス製造ユニット３０、合成ガス清浄化ユニット４０及び気-液変換ユニット５０を含む。
【００１０】
図１に示されるように代表的方法は、固体燃料１１０が熱分解ユニット１０にフィードされる。固体燃料１１０は、都市廃棄物、バイオソリッド、廃ゴム及びプラスチック、都市スラッジ、石炭、有機物又はそれらの組み合わせた物であり得る。
【００１１】
ひとつの実施態様においては、熱分解ユニット１０は、蒸留装置及び分離装置を含む。好ましい実施態様において、この蒸留装置は密閉され、エアータイトの入り口バルブと出口バルブを有し、空気が熱分解ユニット内に操作中入らないようにする。
【００１２】
好ましい実施態様においては、蒸留装置は、American  Combustion  Technologies,  Inc.  (Paramount,  CA)製である。固体燃料１１０が上流装置に入ると、間接加熱が、１又はそれ以上のガスバーナーにより供給され、固体燃料１１０が蒸気を含む熱分解ガス１２０に集められる。
【００１３】
本出願のひとつの例示的実施態様において、熱分解ユニットの温度は、８００°Ｆから約１３００°Ｆであり、負圧が−0.20"から約−1.00"  水柱(W.C.)に維持される。
【００１４】
好ましい実施態様においては、１又はそれ以上のバーナーが、低ＮＯｘ排出タイプのバーナーであり、特に燃焼を通じて３０及び９ppmより少ないNOｘ排出に適合するＡＨＳ又はＳＬＥシリーズである。これはAmerican  Combustion  Technologies,  Inc.  (Paramount,  CA)から入手可能である。
【００１５】
好ましい実施態様においては、１又はそれ以上のバーナーが、天然ガス、プロパンガス又は熱分解油で駆動されている。好ましい実施態様においては、１又はそれ以上のバーナーが、South  Coast  Air  Quality  Management  District  requirements要求に適合するものである。
【００１６】
ひとつの実施態様において、固体燃料１１０は、ステンレススチール製の螺旋搬送装置を用いて蒸留装置内を移動する。螺旋搬送装置の速度は、蒸留装置を通るトラベルタイムをガス化される固体燃料１１０の特定のタイプにより異なるように制御される。代表的実施態様においては、トラベルタイムは約１時間である。
【００１７】
蒸留装置において固体燃料１１０からガスと水が蒸発し、分離装置を通り、ガス流から液体、粒子及びスラッジが分離される。ひとつの好ましい実施態様において、分離装置はサイクロン分離装置である。サイクロン分離装置はこの技術分野ではよく知られており、それゆえ本出願では詳しくは記載しない。サイクロン分離装置は、９９．９％のすべての遊離の液体及び固体について約５ミクロン又はそれより大きいものを除き、ファルテン及び硫化鉄のような固体を除くために有効である。集められた固体の大部分は、炭素であり量はそれほど多くはない。
【００１８】
ひとつの実施態様において、熱分解ユニット１０を出て、熱分解ガス１２０は熱分解清浄化ユニット２０に入る。そこで汚染物が除かれ、処理ガス１３０が製造される。汚染物は、限定されるものではないが、灰（タールスラッジ及び粒子を含む）、硫化水素（Ｈ２Ｓ）、硫化カルボニル（ＣＯＳ）、二酸化炭素（ＣＯ２）及びそれらの混合物である。熱分解ガス清浄化ユニット２０は、いくつかの例示されるサブシステムを含んでいてよい。例えば限定されるものではないが、粒子除去サブシステム、乾燥サブシステム、ガス移動サブシステム及びＣＯ２/Ｈ２Ｓ除去サブシステムである。
【００１９】
ひとつの実施態様において、粒子除去サブシステムは、ベンチュリ分離装置である。ベンチュリ分離装置は、ガスと混合されているいかなるダストをも除去するための洗浄システムとして作用する。ベンチュリ分離装置は又、存在する場合水蒸気及びほとんどのＳＯ２及びＣＯＳを洗浄プロセスの間に熱分解ガスから分離する。ガスがＨ２Ｓを含む場合、いくらかのＨ２Ｓはベンチュリ分離装置で除かれるであろうが、いくらかのＨ２Ｓは、以下に詳しく説明するが、ＣＯ２/Ｈ２Ｓ除去サブシステムで除去されるであろう。ベンチュリ分離装置又はスクラバーはこの技術分野ではよく知られており、通常、ベンチュリ形状の入り口と分離装置からなる。好ましい実施態様において、ベンチュリ分離装置は、American  Combustion  Technologies,  Inc.  (Paramount,  CA)製のものである。
【００２０】
ひとつの実施態様において、粒子除去サブシステムを出た後、ガスは、コンデンサー/デミスターであり得る乾燥サブシステムを通る。これはガスからすべての液体を分離するための熱交換装置として運転されることができる。コンデンサー/デミスターはこの技術分野においてよく知られておりしたがって本出願では詳しく説明しない。
【００２１】
ひとつの実施態様において、乾燥サブシステムから出た後、ガスはガス移動装置サブシステムへ入る。ガス移動サブシステムは、真空ブロワー、中間ガスタンク、ガスコンプレッサー、後冷却装置、又はそれらの組み合わせ物を含むことができる。これらはこの技術分野においてよく知られておりしたがって本出願では詳しく説明しない。
【００２２】
ひとつの実施態様において、ガス移動サブシステムから、圧縮されたガスはＣＯ２/Ｈ２Ｓ除去サブシステムへ入る。熱分解ユニット１０は、約１％から約１５％であり多量のＣＯ２は生成しないが、ＣＯ２/Ｈ２Ｓ除去サブシステムはさらに、ＣＯ２排出を約０．１％から３％へと減少させる。好ましい実施態様において、ＣＯ２/Ｈ２Ｓ除去サブシステムは又、Ｈ２Ｓの量を７ｐｐｂよりも小さく減少させる。
【００２３】
ひとつの実施態様において、ＣＯ２/Ｈ２Ｓ除去サブシステムは、アミンスクラバー、アミンフラッシュタンク、硫黄沈殿ユニット、硫黄ストリッパー、飽和装置又はこれらのいかなる組み合わせを含んでいてよい。これらはこの技術分野においてよく知られておりしたがって本出願では詳しく説明しない。熱分解ガス清浄化ユニットの後、処理ガス１３０は約０から７ｐｐｂのＨ２Ｓ、及び０から３％のＣＯ２を含むが、これらは捕集され貯蔵されることができる。熱分解ユニット１０又は熱分解ガス清浄化ユニット２０では水は全く廃棄されていないことに注目すべきである。過剰な水は再回収され、清浄化され、サブシステムで再使用される。
【００２４】
本出願の代表的実施態様において、処理ガス１３０は、温度約３５０°Ｆ、圧力約５０ｐｓｉｇで蒸気飽和される。ひとつの実施態様において、蒸気の圧力幅は約１２０ｐｓｉｇから２００ｐｓｉｇである得る。飽和処理されたガス１３０は、通常Ｈ２/ＣＯ比が２：１、３：１、及び４：１を持つ合成ガス１４０を生成する。Ｈ２/ＣＯ比は、最終製品への要求に応じて１から６の範囲であり得る。ひとつの実施態様において、処理ガス１３０は、例えば約１６００°Ｆ又は少しそれより高い温度で予熱され、１５０ｐｓｉの圧力を持ち、合成ガス製造ユニット３０にて、炭化水素がリフォームされＣＯと水素となる。
【００２５】
この技術分野の熟練者において、合成ガス製造ユニット３０でのスチームリフォーミングには、処理ガス１３０と蒸気により、水素、一酸化炭素、メタン及び二酸化炭素が形成されることは理解されるであろう。一般的に、スチームリフォーミングによる炭化水素リフォーミングは、多量の吸熱反応を含む。ひとつの実施態様において、合成ガス製造ユニット３０は固定床反応装置を含む。他の実施態様においては、合成ガス製造ユニット３０はスラリー反応装置を含む。合成ガス製造ユニットには、適正な量の水が供給されるべきである。水を少量使用することは、低Ｈ２製造及び重質液体燃料が気体から液体へ変換する製造ユニット５０で生成される結果となる。多量の水蒸気投入は、高いレベルのＨ２製造となるが、これは後ほど、ＣＯ２をＣＯに戻すリフォームする際に使用される。
CO2+H2−＞CO  +H2O
合成ガス１４０の中にＨ２が少量であることは又、合成ガス製造ユニット３０での過剰水が欠乏していることを示すことができる。蒸気は、合成ガス製造ユニット３０にある固定床反応装置の触媒上の炭素形成抑制を助ける。炭素形成は触媒を最終的に脱活性化させる。固定床反応装置のひとつの実施態様において、少量の溶媒を合成ガス製造ユニット３０に導入して、触媒寿命を増加させ、炭素形成による汚染を抑制する。
【００２６】
合成ガス製造ユニット３０での条件は、均一な合成ガスのＣＯとＨ２組成を得るためにモニターされる。ひとつの実施態様においては、ＣＯとＨ２は分離され、均一な合成ガス組成を得るため後ほどあらかじめ決められた比となるように再混合される。合成ガス１４０の形成は次の反応式による。
CH4  +H2O−＞CO  +  3(H2)
C2H6  +2(H2O)−＞2(CO)  +5(H2)
このプロセスは、例えば処理ガス１３０のすべての炭化水素に適用される。
【００２７】
合成ガス１４０は、いくらかの窒素を含んでいてよい。窒素の量は非常に低く、除去される必要はないかもしれない。しかし、気-液変換ユニット５０に先立って、窒素を取り出すならば、燃料製品１６０には液体製品に関しては窒素は含まれない。ひとつの実施態様において、合成ガス１４０は、合成ガス清浄化ユニット４０で処理され、処理合成ガス１５０を生成する。ひとつの実施態様において、合成ガス清浄化ユニット４０は、合成ガス１４０から汚染物を除去する。代表的実施態様において、合成ガス清浄化ユニット４０は、残留するＨ２Ｓを除くために酸化鉛床を含む。
【００２８】
ひとつの好ましい実施態様において、処理合成ガス１５０は、気-液変換ユニット５０で加圧され、加熱される。２つの反応装置を用いる場合、第１の反応装置圧力は約３００から１０００ｐｓｉｇ、より好ましくは約５００から７５０ｐｓｉｇであり、温度は６００°Ｆより低い。好ましい実施態様においては、第１の反応装置は、約５２０°Ｆの温度で運転される。第１の反応装置の後、ガスは冷却され、３００から１０００ｐｓｉｇへと加圧される。加圧されたガスは、その後加熱され、第２の反応装置を通る。ひとつの実施態様においては、第１の反応装置はスラリー反応装置であり、ここでコバルト又は鉄酸化物触媒が供給され、温度は液体製品を最適化するために一定に維持される。ひとつの実施態様においては、５０％ワックスがスラリー反応装置で生成され、これはさらに水素化により処理してディーゼル燃料にされ得る。ひとつの実施態様においては、このワックスは炭素数４０よりも大きい成分を含む。ひとつの好ましい実施態様においては、スラリー反応装置は、３００ｐｓｉｇから５００ｐｓｉｇの圧力で、約４３０から約４６０°Ｆの温度範囲で運転される。
【００２９】
ひとつの実施態様において、第２の反応装置は、ニッケル系触媒を供給する。これはフィードする水素と一酸化炭素の比によってアルコール及びメタン形成を増加させる。ひとつの実施態様において、第２の触媒は、アルコールを脱水してディーゼル又は軽質液体燃料にするために必要である。又は別の実施態様においては、鉄又はコバルト酸化物触媒が、ディーゼル又は軽質液体燃料を製造するために使用することもできる。
【００３０】
合成ガス製造ユニット３０でＨ２とＣＯの比を変更することは、気体から液体へ変換する製造ユニット５０からの燃料製品１６０に影響を与え、気体から液体へ変換する製造ユニット５０で使用されるガス圧力と、温度及び触媒タイプに依存する。燃料製品１６０は、ガソリン、ジェット燃料、アルコール及びディーゼル燃料に、蒸留塔（図示されていない）で分離する。ひとつの実施態様において、燃料製品１６０は、気体であってもよい。燃料製品１６０の燃料の製造の基本的範囲は、概ね次の通りである。
ディーゼル燃料  ７０％
ガソリン、ジェット燃料及び溶媒  ２０％
酸化物（CH３ＯＨ等）  １０％
ひとつの実施態様において、燃料製品１６０が適切に分離された後は、それらを標準燃料として評価するためにさらなる処理は必要ない。ひとつの実施態様において、燃料製品１６０は、CO2とH2の反応で生成された結果か、反応中凝縮しなかった蒸気部分からの結果によるか、水をいくらか含むかもしれない。この水は、燃料から分離され、及び燃料はさらに清浄化され使用の前に分離される。水の分離処理は、単純であり、フラッシュ分離処理によるか、蒸留カラムによるか、どちらでもよい。ともに慣用であり、容易に設計及びは位置することが可能である。
【００３１】
ひとつの実施態様において、少なくとも７０％の処理合成ガス１５０が、燃料製品１６０に変換される。好ましい実施態様において、９０％以上の処理合成ガス１５０が、燃料製品に変換される。ひとつの実施態様において、燃料製品のより軽質炭化水素の燃料製品１６０は、合成ガス製造ユニット３０にリサイクルされ、燃料製品１６０の形成を増加させることができる。
【００３２】
ひとつの実施態様においては、固体燃料１１０は、熱分解プロセス１０に入るに先立ってケーキング性を破壊するためのフィード前処理ユニット６０からの生成物である。
【００３３】
この技術分野において熟練者によって理解される通り、本出願はここに記載した正確な代表的実施態様には限定されず、種々の変更、変形がまた、本出願の本質又は範囲から外れることなく有効である。
【００３４】
例えば、異なる説明的実施態様の要素及び/又は構成は、本開示及び特許請求の範囲の範囲に含まれる限りにおいて、おたがいに結合されてもよく、交換されてもよく、及び/又は拡張されてもよい。さらに、本出願の開示及び添付の図面を読んだ後、この技術分野の熟練者に明らかとなる改良や変更もまた本出願の本質又は範囲に含まれる。
【図１】
0005791503.tif 000002
【図２】
0005791503.tif 000003
【図３】
0005791503.tif 000004